(57)【要約】【課題】ポータブルデバイス保護カバーの提供。【解決手段】ポータブルデバイス保護カバー１０であって、内保護カバー１、外保護カバー２を備える。内保護カバー１はポータブルデバイス収納空間１１１、スクリーン露出窓１１２を備えるインナースリーブ本体１１、及びインナースリーブ本体１１に可動状に接続する連接平板１２を備える。外保護カバー２は２個の蓋体２１、２２、及び２個の蓋体２１、２２の間に連接する連接部２３を備え、２個の蓋体２１、２２は相互に合わさり収容設置空間２４を形成し、しかも２個の蓋体２１、２２の内側には連接バッグ２５を備え連接平板１２を収納し、これにより内保護カバー１を収容設置空間２４中に固定できる。使用時には、２個の蓋体２１、２２間に支えて立たせる。【選択図】図１
0003194279.tif 000002
【実用新案登録請求の範囲】
【請求項１】
ポータブルデバイス保護カバーであって、内保護カバー、外保護カバーを備え、
前記内保護カバーは、ポータブルデバイス収納空間、スクリーン露出窓を備えるインナースリーブ本体、及び前記インナースリーブ本体に可動状に接続する連接平板を備え、
前記外保護カバーは、２個の蓋体、及び前記２個の蓋体の間に連接する連接部を備え、前記２個の蓋体は相互に合わさり、収容設置空間を形成し、しかも前記２個の蓋体の内側には、連接バッグを備え、前記連接平板を入れ、これにより前記内保護カバーを収容設置空間中に固定でき、
使用時には、前記２個の蓋体間に支えて立たせることを特徴とするポータブルデバイス保護カバー。
【請求項２】
前記ポータブルデバイス保護カバーはさらに、ファスナーを備え、前記ファスナーは、前記２個の蓋体の間に設置し、
こうして、前記内保護カバーを前記収容設置空間に固定する時には、前記ファスナーを引いて合わせ、これにより前記内保護カバーは、前記２個の蓋体の間に包まれることを特徴とする請求項１に記載のポータブルデバイス保護カバー。
【請求項３】
前記インナースリーブ本体と前記連接平板との連接位置は、前記連接平板を、前記インナースリーブ本体に立たせることができる充分な機械強度を提供することを特徴とする請求項２に記載のポータブルデバイス保護カバー。
【請求項４】
前記インナースリーブ本体の表面には、陥没位置を備え、前記連接平板を収容設置することを特徴とする請求項２に記載のポータブルデバイス保護カバー。
【請求項５】
前記インナースリーブ本体と前記連接平板との間にはさらに、嵌合固定部品を備えることを特徴とする請求項４に記載のポータブルデバイス保護カバー。
【請求項６】
前記嵌合固定部品は、磁石ホックであることを特徴とする請求項５に記載のポータブルデバイス保護カバー。
【請求項７】
前記２個の蓋体の内の少なくとも一方は、少なくとも１個の財布構造を備え、
前記財布構造は、少なくとも１個の収納クリップを備えることを特徴とする請求項２に記載のポータブルデバイス保護カバー。
【考案の詳細な説明】
【技術分野】
【０００１】
本考案は、保護カバーに関し、ポータブルデバイスを包み、保護するポータブルデバイス保護カバーに関する。
【背景技術】
【０００２】
スマートフォン、タブレットＰＣ、ハンドヘルドデバイスの流行に随い、ポータブルデバイス保護カバーは日進月歩の発展を遂げている。一般のポータブルデバイス保護カバーは、ポータブルデバイス収容設置空間、スクリーン露出窓のみを備えるが、これではスクリーン表面が摩損し易い。そのため、保護蓋を備える設計が開発された。普段はポータブルデバイスのスクリーン表面に密着し、使用時には開きスクリーンを露出させる。しかし、このタイプの保護デバイスの機能は、スクリーン保護にのみ限られ、しかも全体的な保護を提供できるとは限らない。そのため、財布或いは札入れと保護カバーとを結びつけた設計が開発された。こうして、この２種のしばしば一緒に置いておく必要がある物品を一体とすることができ、二者がもともと占めていた空間を圧縮できる他、さらにポータブルデバイスに優れた保護を提供することができるため、市場で人気を博している。けれども、このタイプの製品には、少なくない欠点が存在する。例えば、通常は、内部にポータブルデバイスを備える内保護カバーを、財布或いは札入れ内に入れるが、財布や札入れを開く時、ポータブルデバイスは、内保護カバーと一緒に滑り落ち易い。別のタイプの製品では、上記したような滑り落ちの状況を防止するため、インナーカバーと財布とを固定している。しかし、これでは、財布と内保護カバーは、ポータブルデバイスと一体となり分離できないため、使用上の不便を招いている。
【考案の概要】
【考案が解決しようとする課題】
【０００３】
本考案は、目的は、ポータブルデバイスを包み、並びに保護するポータブルデバイス保護カバーを提供することにある。
【課題を解決するための手段】
【０００４】
本考案によるポータブルデバイス保護カバーは、内保護カバー、外保護カバーを備える。内保護カバーは、ポータブルデバイス収納空間、スクリーン露出窓を備えるインナースリーブ本体、及びインナースリーブ本体に可動状に接続する連接平板を備える。外保護カバーは、２個の蓋体、及び２個の蓋体の間に連接する連接部を備え、２個の蓋体は相互に合わさり、収容設置空間を形成する。しかも、２個の蓋体の内側には、連接バッグを備え、連接平板を入れ、これにより内保護カバーを収容設置空間中に固定できる。使用時には、２個の蓋体間に支えて立たせる。
【０００５】
ポータブルデバイス保護カバーはさらに、ファスナーを備え、ファスナーは、２個の蓋体の間に設置する。こうして、内保護カバーを収容設置空間に固定する時には、ファスナーを引いて合わせ、これにより内保護カバーは、２個の蓋体の間に包まれる。
【０００６】
インナースリーブ本体と連接平板との連接位置は、連接平板を、インナースリーブ本体に立たせることができる充分な機械強度を提供する。
【０００７】
インナースリーブ本体の表面には、陥没位置を備え、連接平板を収容設置する。インナースリーブ本体と連接平板の密着をより平坦で整然とするため、インナースリーブ本体と連接平板との間には、嵌合固定部品を備える。この種の嵌合固定部品は、磁石ホックなどの部品である。
【０００８】
２個の蓋体の内の少なくとも一方は、少なくとも１個の財布構造を備え、財布構造は、少なくとも１個の収納クリップを備え、これにより外保護カバーは、札入れ、或いは財布の機能を備える
【考案の効果】
【０００９】
本考案は内保護カバーと外保護カバーとの間を、連接平板と連接バッグの結合を通して連結するため、外保護カバーを開いても、ポータブルデバイスが滑り落ちてくることはなく、同時に簡便な方式により、内保護カバーを、外保護カバーから取り出して単独で使用することができる。すなわち、安全性であろうと、利便性であろうと、使用の多様性であろうと、その効果を大幅に向上させることができ、極めて高い産業上の価値を備えている。
【図面の簡単な説明】
【００１０】
【図１】本考案の一実施形態によるポータブルデバイス保護カバーの立体模式図である。
【図２】図１に示すポータブルデバイス保護カバーの使用模式図である。
【図３】図１に示すポータブルデバイス保護カバーの内保護カバーを立たせて使用する様子を示す立体模式図である。
【図４】図１に示すポータブルデバイス保護カバーの内保護カバーを立たせて使用する様子を示す側面模式図である。
【図５】図１に示すポータブルデバイス保護カバーの内保護カバーを単独で使用する様子を示す立体模式図である。
【図６】図１に示すポータブルデバイス保護カバーの内保護カバーに嵌合部品を追加設置する実施形態の模式図である。
【図７】図１に示すポータブルデバイス保護カバーの外保護カバーを単独で使用する様子を示す立体模式図である。
【図８】図１に示すポータブルデバイス保護カバーの外保護カバーの外観模式図である。
【考案を実施するための形態】
【００１１】
［実施例１］
本考案の一実施形態によるポータブルデバイス保護カバーを図面に基づいて説明する。図１、２に示すように、ポータブルデバイス保護カバー１０は、内保護カバー１、外保護カバー２により構成する。内保護カバー１は、ポータブルデバイス収納空間１１１、スクリーン露出窓１１２を備えるインナースリーブ本体１１、及びインナースリーブ本体１１に可動状に接続する連接平板１２を備える。
外保護カバー２は、２個の蓋体２１、２２、及び蓋体２１と２２との間に連接する連接部２３を備える。蓋体２１の内側には、連接バッグ２５を備え、連接平板１２を入れて、内保護カバー１を固定することができる。図３に示すように、蓋体２１、２２が相互に合わさった後には、収容設置空間２４を形成する。これにより、スマートフォンやタブレットＰＣなどのポータブルデバイス（図示なし）を、内保護カバー１と一緒に収納することができる。ポータブルデバイス保護カバー１０はさらに、蓋体２１と２２との間に設置するファスナー２６を備える。
こうして、内保護カバー１を収容設置空間２４に固定する時には、ファスナー２６を引いて合わせ、内保護カバー１は、蓋体２１と２２との間に包まれ、内保護カバー１中に収容設置するポータブルデバイスに対する保護を強化することができる。ファスナー２６を開いても、連接平板１２を連接バッグ２５に入れて固定するため、内保護カバー１が、その内部で保護するポータブルデバイスと一緒に、外保護カバー２から滑り落ちる危険の発生を回避することができる。蓋体２２内には、財布構造２７を備え、上面には少なくとも１個の収納クリップ２７１を備え、紙幣、カード、名刺などを入れることができる。こうして、外保護カバー２は、札入れ或いは財布の機能を備えることができる。内保護カバー１と外保護カバー２とは、皮革などの磨耗に強く堅固で、しかも保護作用に優れた材質をそれぞれ選択し製造する。連接平板１２は、ミシン縫いなどの方式で、インナースリーブ本体１１に連接する。
【００１２】
図３、４に示すように、ファスナー２６を開いた後は、内保護カバー１の、連接平板１２に固定されていない片側を、蓋体２２の側辺へと押し、連接バッグ２５に置く連接平板１２に対応し、内保護カバー１は外保護カバー２の内に立たせることができる。
【００１３】
これにより、デスクトップに置き、内保護カバー１内に置くポータブルデバイスのスクリーンで再生するコンテンツを観賞することができる。
【００１４】
図６に示すように、インナースリーブ本体１１の表面には、陥没位置１１３を備え、連接平板１２を収容設置する。これにより、インナースリーブ本体１１の表面は平坦となり、一体性を形成することができる。インナースリーブ本体１１と連接平板１２の密着をより平坦で整然とするため、インナースリーブ本体１１と連接平板１２との間には、嵌合固定部品１３を備える。この種の嵌合固定部品１３は、磁石ホックなどの部品である。
【００１５】
さらに、図７、８に示すように、外保護カバー２は、単独で、バッグとして使用可能で、これにより製品の実用範囲を拡大することができる。
【００１６】
上記により明らかなように、内保護カバー１と外保護カバー２との間は、連接平板と連接バッグの結合を通して連結するため、外保護カバー２を開いても、ポータブルデバイスが滑り落ちてくることはなく、同時に簡便な方式により、内保護カバーを、外保護カバーから取り出して単独で使用することができる。すなわち、安全性であろうと、利便性であろうと、使用の多様性であろうと、その効果を大幅に向上させることができ、極めて高い産業上の価値を備えている。
【００１７】
上述の実施形態の説明を総合すると、本考案の操作、使用、及び本考案が生じる効果を充分理解することができる。しかし、以上に述べた実施形態は単に本考案の好ましい実施形態であり、これによって本考案の実用新案登録請求の範囲を限定することではない。即ち本考案の実用新案登録請求の範囲及び説明書の内容に基づいて、同等効果を有する簡単な変化及び修飾は、全て、本考案の範囲内に属するものとする。
【符号の説明】
【００１８】
１０  ポータブルデバイス保護カバー
１  内保護カバー
１１  インナースリーブ本体
１１１  ポータブルデバイス収納空間
１１２  スクリーン露出窓
１１３  陥没位置
１２  連接平板
１３  嵌合固定部品
２  外保護カバー
２１、２２  蓋体
２３  連接部、
２４  収容設置空間
２５  連接バッグ
２６  ファスナー
２７  財布構造
２７１  収納クリップ
３  デスクトップ
【図１】
0003194279.tif 000003
【図２】
0003194279.tif 000004
【図３】
0003194279.tif 000005
【図４】
0003194279.tif 000006
【図５】
0003194279.tif 000007
【図６】
0003194279.tif 000008
【図７】
0003194279.tif 000009
【図８】
0003194279.tif 000010